(57)【要約】【課題】ユーザーが、画像形成装置が使用可能になるまでの時間を容易に推定することができる画像形成装置を提供する。【解決手段】  画像形成装置１はシートに画像を形成し、処理部７０、入力部２０、計数部１０１、算出部１０２、及び第１表示部２００を備える。処理部は、原稿に形成された画像を使用して、単数又は複数の単位処理を含むジョブを実行する。入力部は、前記単位処理の予定実行回数の入力を受け付ける。計数部は、前記単位処理の実行回数を計数する。算出部は、前記予定実行回数から前記実行回数を減算し、残りの予定実行回数を算出する。そして、第１表示部は、前記残りの予定実行回数を表示する。【選択図】図２
2018037825.tif 000002
【特許請求の範囲】
【請求項１】
シートに画像を形成する画像形成装置であって、
単数又は複数の単位処理を含むジョブを実行する処理部と、
前記単位処理の予定実行回数の入力を受け付ける入力部と、
前記単位処理の実行回数を計数する計数部と、
前記予定実行回数から前記実行回数を減算し、残りの予定実行回数を算出する算出部と、
前記残りの予定実行回数を表示する第１表示部と
を備え、
前記単位処理は、原稿から画像を読み取る処理、及びシートに画像を形成する処理の少なくとも一方の処理を含む、画像形成装置。
【請求項２】
前記ジョブの実行中に端末から前記画像形成装置の使用要求を受信したときに、前記入力部は、前記使用要求に対する許可又は不許可を示す入力を受け付け、
前記入力部が前記使用要求に対する許可を示す入力を受け付けたときに、前記処理部は前記実行中のジョブを中断し、前記入力部は、前記使用要求に対応するジョブを受け付ける、請求項１に記載の画像形成装置。
【請求項３】
前記入力部は、
前記ジョブの実行指示を受け付けるための指示画像を表示する第２表示部と、
前記第２表示部に配置され、タッチ操作を受け付けるタッチセンサーと
を含み、
前記使用要求を受信したときに、前記タッチセンサーがタッチ操作を受け付けていない期間が所定時間未満である場合、前記第２表示部は、前記指示画像を継続して表示し、前記期間が前記所定時間以上である場合、前記タッチセンサーは、前記使用要求に対する許可又は不許可を示す入力に対応するタッチ操作を受け付ける、請求項２に記載の画像形成装置。
【請求項４】
前記タッチセンサーがタッチ操作を受け付けていない前記期間が前記所定時間未満である場合、前記第２表示部は、前記第２表示部の第１領域に前記使用要求を示すメッセージを表示し、前記第１領域と異なる第２領域に前記指示画像を表示し、
前記第１領域の面積は、前記第２領域の面積よりも小さい、請求項３に記載の画像形成装置。
【請求項５】
前記タッチセンサーがタッチ操作を受け付けていない前記期間が前記所定時間以上である場合、前記第２表示部は、前記指示画像に代えて、前記第２領域に、前記使用要求を示す前記メッセージを表示する、請求項４に記載の画像形成装置。
【請求項６】
前記第２表示部は、前記第１表示部として機能する、請求項３から請求項５のいずれか１項に記載の画像形成装置。
【請求項７】
前記第１表示部と前記第２表示部とは、分離して配置される、請求項３から請求項５のいずれか１項に記載の画像形成装置。
【請求項８】
前記単位処理は、シートに画像を形成する際の単位枚数当たりの処理を示し、
前記予定実行回数及び前記実行回数は、シートの枚数によって示される、請求項１から請求項７のいずれか１項に記載の画像形成装置。
【請求項９】
発光部を更に備え、
前記発光部は、前記残りの予定実行回数に対応して予め定められた色彩の光を発光する、請求項１から請求項８のいずれか１項に記載の画像形成装置。
【発明の詳細な説明】
【技術分野】
【０００１】
本発明は、画像形成装置に関する。
【背景技術】
【０００２】
特許文献１に記載の画像形成装置（以下、「装置」と記載する。）は、装置の近傍で人体検知を行い、装置に仕事を依頼した使用者が装置の近傍に居るか否かを判定する。使用者が装置の近傍に居ない場合には、使用者への連絡方法と、使用者が装置に依頼した仕事の内容とを表示部に表示する。
【先行技術文献】
【特許文献】
【０００３】
【特許文献１】特開平９−８３７１２号公報
【発明の概要】
【発明が解決しようとする課題】
【０００４】
特許文献１に記載の発明によれば、装置に仕事を依頼した使用者（以下、「第１使用者」と記載する。）が装置の近傍に居ない場合にも、他の使用者（以下、「第２使用者」と記載する。）は、装置が処理している仕事の内容を知ることができる。しかしながら、第２使用者は、第１使用者に連絡を取らなければ、画像形成装置が使用可能になるまでの時間を知ることはできない。
【０００５】
一方、第１使用者が装置の近傍に居る場合には、第２使用者は、第１使用者が装置を使用する推定時間を第１使用者に質問することができる。しかしながら、第１使用者が第２使用者の知人でなければ、第２使用者が第１使用者に、第１使用者が装置を使用する推定時間を質問することは容易ではない。
【０００６】
本発明は、上記課題に鑑みてなされたものであり、ユーザーが、画像形成装置が使用可能になるまでの時間を容易に推定することができる画像形成装置を提供することを目的としている。
【課題を解決するための手段】
【０００７】
本発明の一局面によれば、シートに画像を形成する画像形成装置は、処理部、入力部、計数部、算出部、及び第１表示部を備える。処理部は、原稿に形成された画像を使用して、単数又は複数の単位処理を含むジョブを実行する。入力部は、前記単位処理の予定実行回数の入力を受け付ける。計数部は、前記単位処理の実行回数を計数する。算出部は、前記予定実行回数から前記実行回数を減算し、残りの予定実行回数を算出する。そして、第１表示部は、前記残りの予定実行回数を表示する。
【発明の効果】
【０００８】
本発明によれば、ユーザーは、画像形成装置が使用可能になるまでの時間を容易に推定することができる。
【図面の簡単な説明】
【０００９】
【図１】本発明の実施形態１に係る画像形成装置を示す図である。
【図２】図１の制御部を示す図である。
【図３】図１の入力部を示す図である。
【図４】予定実行回数が入力されたときの表示部を示す図である。
【図５】第２画面を表示する表示部を示す図である。
【図６】図１の制御部の動作を示すフローチャートである。
【図７】本発明の実施形態２に係る画像形成システムを示す図である。
【図８】第３画面が表示部に表示された携帯端末を示す図である。
【図９】第４画面が表示部に表示された携帯端末を示す図である。
【図１０】第５画面を表示する表示部を示す図である。
【図１１】第６画面を表示する表示部を示す図である。
【図１２】実施形態２に係る制御部の動作を示すフローチャートである。
【図１３】本発明の実施形態３に係る画像形成装置を示す図である。
【発明を実施するための形態】
【００１０】
以下、本発明の実施形態について、図面（図１〜図１３）を参照しながら説明する。なお、図中、同一又は相当部分については同一の参照符号を付して説明を繰り返さない。
【００１１】
≪実施形態１≫
以下、本発明の実施形態１を図１〜図６を参照して説明する。
図１は、本発明の実施形態１に係る画像形成装置１を示す。画像形成装置１は、例えば複合機であり、シートＴに画像を形成する。画像形成装置１は、例えば、スキャン機能、コピー機能、印刷機能、及びファクシミリ機能を備える。実施形態１においては、スキャン処理、コピー処理、ファクシミリ処理、及び印刷処理のそれぞれがジョブに相当する。
【００１２】
スキャン処理においては、画像形成装置１は、原稿から画像を読み取り、画像を示すデータを、記憶し、又は他の機器に送信する。コピー処理においては、画像形成装置１は、原稿から画像を読み取り、画像をシートＴに形成する。ファクシミリ処理においては、画像形成装置１は、原稿から画像を読み取り、画像を示すデータをファクシミリ送信する。印刷処理においては、画像形成装置１は、他の機器から画像データを受信し、画像データが示す画像をシートＴに形成する。画像形成装置１は、不特定多数のユーザーが使用できる場所（例えば、コンビニエンス・ストア）に設置される。
【００１３】
画像形成装置１は、制御部１０と、入力部２０と、通信部５０と、原稿搬送部１００と、画像読取部１１０と、収納部１２０と、搬送部１３０と、画像形成部１４０と、定着部１５０と、排出部１６０とを備える。入力部２０は、表示部２００及びタッチセンサー３０（例えばタッチパネル）を含む。また、画像形成装置１は、処理部７０を含む。処理部７０は、通信部５０、画像読取部１１０、及び画像形成部１４０を含む。処理部７０は、原稿に形成された画像を使用して、単数又は複数の単位処理を含むジョブを実行する。
【００１４】
制御部１０は、入力部２０、通信部５０、原稿搬送部１００、画像読取部１１０、収納部１２０、搬送部１３０、画像形成部１４０、定着部１５０、及び排出部１６０を制御する。入力部２０については、図３を参照して後述する。通信部５０は、ネットワークを介して外部装置と通信する。
【００１５】
原稿搬送部１００は、画像読取部１１０に向けて原稿を搬送する。画像読取部１１０は、原稿の画像を読み取って画像データを生成する。なお、画像読取部１１０は、原稿搬送部１００によって搬送される原稿の画像だけではなく、画像読取部１１０に直接セットされる原稿の画像を読み取って画像データを生成することもできる。収納部１２０はシートＴを収納する。
【００１６】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。
【００１７】
搬送部１３０は、画像の形成されたシートＴを定着部１５０に向けて搬送する。定着部１５０は、シートＴを加熱及び加圧して、シートＴに画像を定着させる。搬送部１３０は、画像が定着されたシートＴを排出部１６０に向けて搬送する。排出部１６０はシートＴを排出する。
【００１８】
次に、図２を参照して、制御部１０を説明する。図２は、制御部１０を示す。制御部１０は、例えば、プロセッサー及び記憶部を含む。プロセッサーは、例えば、ＣＰＵ（Ｃｅｎｔｒａｌ  Ｐｒｏｃｅｓｓｉｎｇ  Ｕｎｉｔ）を含む。記憶部は、データ及びコンピュータープログラムを記憶する。記憶部は、例えば、半導体メモリーを含み、ＨＤＤ（Ｈａｒｄ  Ｄｉｓｋ  Ｄｒｉｖｅ）を更に含んでもよい。
【００１９】
図２に示すように、制御部１０は、バス３を介して画像形成装置１の各要素と接続され、画像形成装置１の各要素を制御する。具体的には、制御部１０のプロセッサーが、記憶部に記憶されたコンピュータープログラムを実行することにより、入力部２０、通信部５０、原稿搬送部１００、画像読取部１１０、収納部１２０、搬送部１３０、画像形成部１４０、定着部１５０、及び排出部１６０を制御する。
【００２０】
制御部１０は、計数部１０１及び算出部１０２を含む。制御部１０は、コンピュータープログラムを実行することによって、計数部１０１、及び算出部１０２として機能する。
【００２１】
計数部１０１は、単位処理の実行回数ＥＮを計数する。単位処理は、コピー処理又は印刷処理においては、シートＴに画像を形成する際の単位枚数当たりの処理を示す。実施形態１では、単位枚数は１枚である。しかし、単位枚数は、２枚以上の枚数であってもよい。スキャン処理においては、単位処理は、原稿から画像を読み取る際の単位枚数当たりの処理を示す。ファクシミリ処理においては、単位処理は、原稿から画像を読み取り、画像を示す画像データをファクシミリ送信する際の単位枚数当たりの処理を示す。
【００２２】
実行回数ＥＮは、画像形成装置１を使用中のユーザー（以下、「第１ユーザー」と記載する。）が予定実行回数ＦＮを入力した後に、処理部７０が実行した単位処理の回数である。予定実行回数ＦＮは、第１ユーザーが処理部７０に処理させる予定の単位処理の回数である。予定実行回数ＦＮは、第１ユーザーが入力部２０を介して入力する。
【００２３】
算出部１０２は、予定実行回数ＦＮから実行回数ＥＮを減算し、残りの予定実行回数（以下、「残回数ＲＮ」と記載する。）を算出する。予定実行回数ＦＮ及び実行回数ＥＮは、実施形態１ではシートＴの枚数、又は原稿の枚数によって示される。
【００２４】
次に、画像形成装置１の動作を説明する。入力部２０は、単位処理の予定実行回数ＦＮの入力を第１ユーザーから受け付ける。処理部７０は、単数又は複数の単位処理を含むジョブを実行する。単位処理は、原稿から画像を読み取る処理、及びシートＴに画像を形成する処理の少なくとも一方の処理を含む。計数部１０１は、単位処理の実行回数ＥＮを計数する。なお、実行回数ＥＮは、入力部２０が予定実行回数ＦＮの入力を受け付けた後に処理部７０が実行する単位処理の回数である。算出部１０２は、予定実行回数ＦＮから実行回数ＥＮを減算し、残回数ＲＮを算出する。そして、表示部２００は、残回数ＲＮを表示する。
【００２５】
残回数ＲＮが表示部２００に表示されることで、第１ユーザーと異なる第２ユーザーは、画像形成装置１が使用可能になるまでの時間を容易に推定することができる。なお、第２ユーザーは、例えば画像形成装置１を使用するために、第１ユーザーの後ろに並んでいるユーザーである。
【００２６】
次に、図３を参照して、入力部２０を説明する。図３は、入力部２０を示す。
【００２７】
図３に示すように、入力部２０は、テンキーユニット２１と、表示部２００（第１表示部、第２表示部）とを含む。タッチセンサー３０は、表示部２００の表示面上に配設されている。図３では、図面を簡略化するために、タッチセンサー３０を図示していない。なお、タッチセンサー３０は、表示部２００の内部に組み込まれていてもよい。テンキーユニット２１は、「０」ボタン〜「９」ボタン、「＃」ボタン、及び「＊」ボタンを含む。
【００２８】
表示部２００は、指示画像としてのコピー・ボタン２３、ファクシミリ・ボタン２４、及びスキャン・ボタン２５を表示する。指示画像は、第１ユーザーからジョブの実行指示を受け付けるための画像である。具体的には、指示画像は、タッチセンサー３０が第１ユーザーからジョブの実行指示を受け付ける領域を示すように、表示部２００に表示される。
【００２９】
より具体的には、第１ユーザーは、コピー・ボタン２３に対してタッチ操作を行うことで、処理部７０がコピー処理を実行するように、制御部１０に指示する。また、第１ユーザーは、ファクシミリ・ボタン２４に対してタッチ操作を行うことで、処理部７０がファクシミリ処理を実行するように、制御部１０に指示する。また、第１ユーザーは、スキャン・ボタン２５に対してタッチ操作を行うことで、処理部７０がスキャン処理を実行するように、制御部１０に指示する。なお、図３に示す表示部２００においては、コピー・ボタン２３、ファクシミリ・ボタン２４、及びスキャン・ボタン２５は操作不能である。操作不能であるコピー・ボタン２３、ファクシミリ・ボタン２４、及びスキャン・ボタン２５を破線で示す。
【００３０】
次に、図３から図６を参照して、残回数ＲＮを表示部２００に表示する表示処理を説明する。
【００３１】
図３においては、表示部２００は予定実行回数ＦＮを入力する第１画面を表示している。第１画面は、メッセージ２０１と、表示欄２０２と、画面遷移ボタン２０３とを含む。メッセージ２０１は、予定実行回数ＦＮの入力を第１ユーザーに促す文言を含む。表示欄２０２は、第１ユーザーが入力した予定実行回数ＦＮを表示する。第１ユーザーは、テンキーユニット２１を介して予定実行回数ＦＮを入力する。画面遷移ボタン２０３は、表示部２００が表示する画面を他の画面に変えるためのボタンである。
【００３２】
予定実行回数ＦＮは、例えば、第１ユーザーが予定するコピー枚数（シートの枚数）を示す。例えば、第１ユーザーが２５枚の原稿を有し、各々の原稿を２部ずつコピーする場合には、第１ユーザーは、予定実行回数ＦＮとして数値「５０」（＝２５×２）を入力する。予定実行回数ＦＮがコピー枚数を示す場合には、残回数ＲＮは、未処理のコピー枚数を示す。
【００３３】
図３においては、表示部２００は、予定実行回数ＦＮが未入力であるため、表示欄２０２に文字列「０枚」を表示する。なお、印刷処理においても、予定実行回数ＦＮはシートの枚数を示す。一方、ファクシミリ処理、又はスキャン処理においては、予定実行回数ＦＮは原稿の枚数を示す。
【００３４】
図４は、予定実行回数ＦＮが入力されたときの表示部２００を示す。図４においては、第１ユーザーは、予定実行回数ＦＮとして数値「５０」を入力している。入力された数値「５０」に対応して、表示欄２０２に文字列「５０枚」が表示されている。図４においても、コピー・ボタン２３、ファクシミリ・ボタン２４、及びスキャン・ボタン２５は操作不能である。予定実行回数ＦＮの入力に続いて、第１ユーザーが画面遷移ボタン２０３に対してタッチ操作を行うと、表示部２００に第２画面が表示される。第２画面は、残回数ＲＮを表示する画面である。
【００３５】
図５は、第２画面を表示する表示部２００を示す。図５においては、表示部２００は、コピー・ボタン２３、ファクシミリ・ボタン２４、スキャン・ボタン２５、表示欄２０２、表示欄２０４、及び処理完了ボタン２０５を表示している。コピー・ボタン２３、ファクシミリ・ボタン２４、及びスキャン・ボタン２５は操作可能である。操作可能であるコピー・ボタン２３、ファクシミリ・ボタン２４、及びスキャン・ボタン２５を実線で示す。処理完了ボタン２０５については、図６を参照して後述する。
【００３６】
図５においては、表示部２００は、表示欄２０４に残回数ＲＮを示す文字列「残枚数：５０枚」を表示している。文字列「残枚数：５０枚」は、例えば第１ユーザーが、残り５０枚のシートＴに画像を形成する予定であることを示す。第２ユーザーは、残回数ＲＮに基づいて、画像形成装置１が使用可能になるまでの時間を推定する。
【００３７】
なお、予定実行回数ＦＮが未入力の状態（図３参照）で、第１ユーザーが画面遷移ボタン２０３に対してタッチ操作を行うと、表示部２００は基本画面を表示する。基本画面は、図５に示す第２画面から表示欄２０２、表示欄２０４及び処理完了ボタン２０５を消去した画面である。
【００３８】
次に、図６を参照して、表示処理を更に詳しく説明する。図６は、制御部１０の動作を示すフローチャートである。
【００３９】
ステップＳ１０１において、制御部１０は、予定実行回数ＦＮが入力されたか否かを判定する。予定実行回数ＦＮが入力されていない場合（ステップＳ１０１で「Ｎｏ」）には、処理はステップＳ１０８に進む。一方、予定実行回数ＦＮが入力されている場合（ステップＳ１０１で「Ｙｅｓ」）には、処理はステップＳ１０２に進む。
【００４０】
ステップＳ１０２において、制御部１０は、残回数ＲＮの初期値を表示するように、表示部２００を制御する。具体的には、制御部１０は、残回数ＲＮの初期値である予定実行回数ＦＮを表示部２００が表示欄２０４（図５参照）に表示するように、表示部２００を制御する。
【００４１】
ステップＳ１０３において、ユーザーが例えばコピー・ボタン２３に対してタッチ操作を行うと、制御部１０は、処理部７０に単位処理を実行させる。例えば、制御部１０は、処理部７０に、１枚の原稿から読み取った画像を１枚のシートに形成する処理を単位処理として実行させる。なお、単位処理は複数シートに画像を形成する処理であってもよい。
【００４２】
ステップＳ１０４において、制御部１０は、残回数ＲＮを値「１」だけディクリメントする。その結果、表示欄２０４に表示される文字列は、例えば「５０枚」から「４９枚」に変わる。なお、単位処理が２枚のシートに画像を形成する処理であれば、表示欄２０４に表示される文字列は、例えば「５０枚」から「４８枚」に変わる。
【００４３】
ステップＳ１０５において、制御部１０は、処理部７０がジョブに含まれる全ての単位処理を完了したか否かを判定する。具体的には、制御部１０は、第１ユーザーが処理完了ボタン２０５に対してタッチ操作を行った否かを判定する。
【００４４】
処理完了ボタン２０５は、第１ユーザーが表示処理を終結させるためのボタンである。例えば、第１ユーザーが本（Ｂｏｏｋ）の多数のページをコピーする場合には、第１ユーザーは、コピーするページを開いた状態で本を画像読取部１１０にセットし、コピーの実行を指示する作業を繰り返す。第１ユーザーは、全てのページをコピーし終えたときに処理完了ボタン２０５に対してタッチ操作を行うことで、表示処理を終結させる。
【００４５】
ステップＳ１０５において、第１ユーザーが処理完了ボタン２０５に対してタッチ操作を行っていない場合（ステップＳ１０５で「Ｎｏ」）には、処理はステップＳ１０３に戻る。一方、第１ユーザーが処理完了ボタン２０５に対してタッチ操作を行った場合（ステップＳ１０５で「Ｙｅｓ」）には、処理はステップＳ１０６に進む。
【００４６】
ステップＳ１０６において、制御部１０は、残回数ＲＮが数値「零」以上であるか否かを判定する。具体的には、表示欄２０４（図５参照）における残枚数の表示が「０枚」以上であるか否かを判定する。表示欄２０４における残枚数の表示が「０枚」未満である場合、つまり、負の数値が表示欄２０４に表示されている場合（ステップＳ１０６で「Ｎｏ」）には、処理は終了する。一方、表示欄２０４における残枚数の表示が「０枚」以上である場合（ステップＳ１０６で「Ｙｅｓ」）には、処理はステップＳ１０７に進む。
【００４７】
ステップＳ１０７において、制御部１０は、第１ユーザーに景品を供与するためのジョブを処理部７０に実行させ、処理を終了する。具体的には、景品としての印刷物を第１ユーザーに供与するために、制御部１０は、シートＴに対して特定画像を形成するように、画像形成部１４０を制御する。特定画像は、例えば「クーポン券」、又は「割引券」を示す画像である。特定画像を示す画像データは、予め記憶部に記憶される。
【００４８】
ステップＳ１０７においては、実行回数ＥＮが予定実行回数ＦＮ以下であるときに、第１ユーザーに景品が供与される。実行回数ＥＮが予定実行回数ＦＮよりも多いと、第２ユーザーは予想よりも長い時間待たされる。実行回数ＥＮが予定実行回数ＦＮ以下である場合に第１ユーザーに景品を供与することで、第１ユーザーが予定実行回数ＦＮを実行回数ＥＮよりも少なく入力することが抑制される。その結果、第２ユーザーは、画像形成装置１が使用可能になるまでの時間を更に正確に推定することができる。
【００４９】
景品が印刷物であるのは、例えば画像形成装置１の設置者が、画像形成装置１を介して第１ユーザーに景品を供与できるからである。景品が画像形成装置１を介して第１ユーザーに供与できる印刷物であれば、第１ユーザーに容易に景品を供与することができる。
【００５０】
なお、画像形成装置１が使用可能になるまでの時間を第２ユーザーが正確に推定するためには、実行回数ＥＮと予定実行回数ＦＮとの差異が小さいほど好ましい。従って、実行回数ＥＮが予定実行回数ＦＮよりも大きいか否かに関わらず、実行回数ＥＮと予定実行回数ＦＮとの差異が小さいほどユーザーに供与する景品の価値を高くすることも好ましい。例えば、実行回数ＥＮと予定実行回数ＦＮとの差異が「３枚」以内であれば、比較的に価値の高い「特等クーポン券」を供与し、差異が「３枚」を超え、「６枚」以下であれば、比較的に価値の低い「一般クーポン券」を供与し、差異が「６枚」を超えれば、クーポン券は供与しない。
【００５１】
次に、予定実行回数ＦＮが入力されていない場合（Ｓ１０１で「Ｎｏ」）の後の処理を説明する。
【００５２】
ステップＳ１０８において、制御部１０は、図５を参照して説明した基本画面を表示するように、表示部２００を制御する。そして、処理部７０は、基本画面において第１ユーザーが行った操作に従って、ジョブを実行する。
【００５３】
例えば、原稿搬送部１００に原稿がセットされた状態で、第１ユーザーがコピー・ボタン２３に対してタッチ操作を行うと、処理部７０はコピー処理を実行する。コピー処理が完了すると、処理は終了する。
【００５４】
以上、図１〜図６を参照して説明したように、実施形態１によれば、残回数ＲＮが表示部２００に表示されることで、画像形成装置１が使用可能になるまでの時間を第２ユーザーが容易に推定することができる。その結果、第２ユーザーは、推定した時間が比較的に短い場合には、画像形成装置１が使用可能になるまで、その場で待機することができる。一方、推定した時間が比較的に長い場合には、第２ユーザーは、画像形成装置１とは異なる画像形成装置を使用するために、その場を離れることができる。
【００５５】
また、実行回数ＥＮが予定実行回数ＦＮ以下である場合に第１ユーザーに景品を供与することで、第１ユーザーが予定実行回数ＦＮを少なく入力することを防止できる。従って、第２ユーザーは、画像形成装置１が使用可能になるまでの時間を正確に推定することができる。
【００５６】
≪実施形態２≫
次に、図７から図１２を参照して、本発明の実施形態２に係る画像形成システム４について説明する。図７は、本発明の実施形態２に係る画像形成システム４を示す図である。図７に示すように、実施形態２に係る画像形成システム４は、実施形態１に係る画像形成装置１と、携帯端末２とを含む。画像形成装置１は、通信部５０により、通信ネットワーク５に接続されている。通信ネットワーク５は、例えばインターネットである。
【００５７】
携帯端末２は、例えばスマートフォンであり、通信部５４０を備えている。通信部５４０は、無線電話回線を介して、又はＷｉＦｉ（Ｗｉｒｅｌｅｓｓ  Ｆｉｄｅｌｉｔｙ）接続により、携帯端末２を通信ネットワーク５に接続する。
【００５８】
また、携帯端末２は操作部５３０を備える。操作部５３０は、表示部５００、及びタッチセンサー５１０を含む。
【００５９】
次に、図８から図１２を参照して、使用要求処理を説明する。図８は、第３画面が表示部５００に表示された携帯端末２を示す。
【００６０】
図８に示すように、第３画面は、複数の画像形成装置のそれぞれに対応する複数の選択ボタン５０１を含む。第２ユーザーは、複数の選択ボタン５０１のうちの特定の選択ボタン５０１に対してタッチ操作を行う。例えば、文字列「ＭＦＰ１」が示された選択ボタン５０１に対してタッチ操作を行う。その結果、名称「ＭＦＰ１」を有する画像形成装置１が選択される。
【００６１】
図９は、携帯端末２を示す。図９においては、携帯端末２の表示部５００は第４画面を表示している。第４画面は、第２ユーザーが、使用要求を入力する画面である。第４画面は、表示欄５０２から表示欄５０５と、送信ボタン５０６とを含む。表示欄５０２は、画面の名称を表示する。表示欄５０３は、第２ユーザーの氏名を表示する。表示欄５０４は、第２ユーザーが画像形成装置１に実行させる単位処理の回数（例えば、コピー枚数）を表示する。表示欄５０５は、第３画面（図８参照）で選択した画像形成装置の名称を表示する。
【００６２】
送信ボタン５０６は、画像形成装置１に対する使用要求の送信指示を第２ユーザーから受け付けるためのボタンである。例えば、第２ユーザーが第４画面において、送信ボタン５０６に対してタッチ操作を行うと、通信部５４０は、使用要求と、表示欄５０３及び表示欄５０４に表示された情報とを画像形成装置１に送信する。
【００６３】
次に、使用要求に対する応答処理を、図１０から図１２を参照して説明する。図１０は、第５画面を表示する表示部２００を示す。
【００６４】
図１０に示すように、第５画面は、メッセージ２１１と、表示欄２１２及び表示欄２１３と、諾否選択ボタン２１４とを含む。メッセージ２１１は、第１ユーザーが使用要求に応じるか否かを問う文言を含む。表示欄２１２は使用要求をした第２ユーザーの氏名を表示する。表示欄２１３は、第２ユーザーが希望する単位処理の回数（例えば、コピー枚数）を表示する。
【００６５】
諾否選択ボタン２１４は、第１ユーザーが使用要求に応じるか否かを選択するためのボタンである。諾否選択ボタン２１４のうち、「ＹＥＳ」ボタンは、使用要求に対する許可を示す入力に対応するタッチ操作を受け付ける。「ＮＯ」ボタンは、使用要求に対する不許可を示す入力に対応するタッチ操作を受け付ける。
【００６６】
次に、図１１及び図１２を参照して、応答処理を説明する。図１１は、第６画面を表示する表示部２００を示す。図１２は、実施形態２に係る制御部１０の動作を示すフローチャートである。
【００６７】
ステップＳ２０１において、制御部１０は、通信部５０が携帯端末２から使用要求を受信したか否かを判定する。使用要求を受信していない場合（ステップＳ２０１で「Ｎｏ」）には、制御部１０は、使用要求を受信するまで待機する。一方、使用要求を受信した場合（ステップＳ２０１で「Ｙｅｓ」）には、処理はステップＳ２０２に進む。
【００６８】
ステップＳ２０２において、制御部１０は、使用要求を受信したときに、タッチセンサー３０がタッチ操作を受け付けていない期間が所定時間（例えば１０秒）以上であるか否かを判定する。タッチ操作を受け付けていない期間が所定時間未満である場合（ステップＳ２０２で「Ｎｏ」）には、処理はステップＳ２０６に進む。一方、タッチ操作を受け付けていない期間が所定時間以上である場合（ステップＳ２０２で「Ｙｅｓ」）には、処理はステップＳ２０３に進む。
【００６９】
ステップＳ２０３において、制御部１０は、応答画面（図１０参照）を表示するように、表示部２００を制御し、処理はステップＳ２０４に進む。具体的には、表示部２００は、図１０に示すように、指示画像に代えて、表示部２００の中央領域（第２領域）にメッセージ２１１を表示する。
【００７０】
図１２に戻り、ステップＳ２０４において、制御部１０は、第１ユーザーが使用要求を許可したか否かを判定する。具体的には、第１ユーザーが、諾否選択ボタン２１４のうち、「Ｙｅｓ」ボタンに対してタッチ操作を行ったか、又は、「Ｎｏ」ボタンに対してタッチ操作を行ったかを判定する。「Ｎｏ」ボタンに対してタッチ操作を行った場合（ステップＳ２０４で「Ｎｏ」）には、処理はステップＳ２０７に進む。一方、「Ｙｅｓ」ボタンに対してタッチ操作を行った場合（ステップＳ２０４で「Ｙｅｓ」）には、処理はステップＳ２０５に進む。
【００７１】
ステップＳ２０５において、通信部５０は、使用要求を許可する旨の通知を携帯端末２に送信し、処理は終了する。具体的には、第１ユーザーが「Ｙｅｓ」ボタンに対してタッチ操作を行うことにより、処理部７０は実行中のジョブを中断する。一方、携帯端末２においては、使用要求を許可する通知が表示部５００に表示される。そして、第１ユーザーは、第２ユーザーが画像形成装置１を使用できるように第２ユーザーに場所を譲る。第２ユーザーが画像形成装置１を使用し終えると、第２ユーザーは、第１ユーザーが画像形成装置１を使用できるように第１ユーザーに場所を譲る。第１ユーザーは、画像形成装置１の使用を再開する。
【００７２】
続けて、タッチ操作を受け付けていない期間が所定時間未満である場合（ステップＳ２０２で「Ｎｏ」）の後の処理を説明する。
【００７３】
ステップＳ２０６において、制御部１０は、図１１に示す第６画面を表示するように、表示部２００を制御し、処理はステップＳ２０２に戻る。
【００７４】
図１１においては、表示部２００は、指示画像としてのコピー・ボタン２３、ファクシミリ・ボタン２４、及びスキャン・ボタン２５を、基本画面から継続して中央領域に表示する。そして、表示部２００は、上部領域（第１領域）にメッセージ２２１を表示する。表示部２００の上部領域の面積は、中央領域の面積よりも小さい。
【００７５】
続けて、図１２を参照して、「Ｎｏ」ボタンに対してタッチ操作を行った場合（ステップＳ２０４で「Ｎｏ」）の後の処理を説明する。
【００７６】
ステップＳ２０７において、制御部１０は、使用要求を許可しない旨の通知を携帯端末２に送信するように、通信部５０を制御し、処理は終了する。携帯端末２の通信部５４０が使用要求を許可しない旨の通知を受信すると、表示部５００は使用要求を許可しない旨のメッセージを表示する。
【００７７】
以上、図７〜図１２を参照して説明したように、実施形態２によれば、第２ユーザーは、携帯端末２から画像形成装置１に対して使用要求を送信することで、第１ユーザーに話しかけることなく、第２ユーザーが画像形成装置１を使用できるように、第１ユーザーに依頼することができる。従って、第１ユーザーが知人でない場合にも、第２ユーザーが画像形成装置１を使用できるように、第１ユーザーに容易に依頼することができる。
【００７８】
更に、実施形態２によれば、タッチセンサー３０がタッチ操作を受け付けていない期間が所定時間以上である場合に諾否選択ボタン２１４が表示される。従って、タッチセンサー３０の操作中に諾否選択ボタン２１４が表示されることがなく、第１ユーザーが意図しない操作を行うことを防止できる。
【００７９】
なお、図１２のステップＳ２０１で、２件目以降の使用要求を通信部５０が受信した場合には、制御部１０は、２件目以降の使用要求を第１ユーザーに通知しないように処理を実行することができる。具体的には、制御部１０は、第１ユーザーが予定実行回数ＦＮを入力した後、通信部５０が最初に受信した使用要求に対してだけ、ステップＳ２０２からステップＳ２０７の処理を実行する。２件目以降の使用要求に対しては、制御部１０は、画像形成装置１が使用要求を受け付けない旨の通知を要求元の携帯端末に送信するように、通信部５０を制御する。第１ユーザーは、最初の使用要求に対してだけ許可又は不許可を応答すればよいので、第１ユーザーの負担を軽減することができる。
【００８０】
≪実施形態３≫
次に、図１３を参照して、本発明の実施形態３に係る画像形成装置１Ａについて説明する。図１３に示すように、実施形態３に係る画像形成装置１Ａは、報知部４０を備える点で、実施形態１及び実施形態２に係る画像形成装置１と異なる。報知部４０以外については、実施形態３に係る画像形成装置１Ａの構成は、実施形態１及び実施形態２に係る画像形成装置１の構成と同様である。以下、実施形態３が実施形態１及び実施形態２と異なる点を主に説明する。
【００８１】
図１３は、本発明の実施形態３に係る画像形成装置１Ａを示す図である。画像形成装置１Ａは報知部４０を備える。報知部４０は、残回数表示部４１（第１表示部）と、発光部４２とを含む。
【００８２】
残回数表示部４１は、例えば液晶ディスプレーであり、残回数ＲＮを表示する。図示例では、残回数表示部４１は、残回数ＲＮとして残枚数「３７」を表示している。
【００８３】
発光部４２は、ＬＥＤ（Ｌｉｇｈｔ  Ｅｍｉｔｔｉｎｇ  Ｄｉｏｄｅ）を含み、残回数ＲＮに対応した色彩の光を発光する。例えば、制御部１０は、残回数ＲＮとしての残枚数が５０枚以上であれば、赤色の光を発し、残枚数が５０枚未満であれば、緑色の光を発するように、発光部４２を制御する。また、図６のステップＳ１０１で予定実行回数ＦＮが入力されていない場合（ステップＳ１０１で「Ｎｏ」）には、制御部１０は、発光しないように発光部４２を制御する。
【００８４】
また、図１３に示すように、報知部４０は入力部２０よりも高い位置に設けられる。例えば、第２ユーザーが第１ユーザーの後ろに並んでいると、第２ユーザーからは入力部２０が見え難いことがある。報知部４０を入力部２０よりも高い位置に設けることで、第２ユーザーは残回数表示部４１及び発光部４２を容易に視認することができる。
【００８５】
また、報知部４０は、画像形成装置１Ａの名称を表示する。図示例においては、報知部４０は、画像形成装置１Ａの名称である文字列「ＭＦＰ１」を表示している。報知部４０が画像形成装置１Ａの名称を表示することで、第２ユーザーは、画像形成装置１Ａの識別が容易になる。その結果、図８の第３画面で第２ユーザーが画像形成装置１Ａを選択することが容易になる。
【００８６】
以上、図面（図１〜図１３）を参照しながら本発明の実施形態について説明した。但し、本発明は、上記の実施形態に限られるものではなく、その要旨を逸脱しない範囲で種々の態様において実施することが可能である（例えば、下記（１））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００８７】
（１）実施形態２及び実施形態３においては、タッチセンサー３０が操作を受け付けていない期間が所定時間以上である場合に、諾否選択ボタン２１４（図１０参照）を表示部２００に表示した。これに限られず、タッチセンサー３０が操作を受け付けていない期間が所定時間未満であっても、諾否選択ボタン２１４を表示部２００に表示することができる。
【００８８】
例えば、図１１に示す表示部２００において、メッセージ２２１の右方向又は左方向にあるスペース（第１領域）に小さく諾否選択ボタン２１４を表示する。その結果、第１ユーザーは、タッチセンサー３０が操作を受け付けていない期間が所定時間未満であっても、使用要求に対して応答することができる。従って、第２ユーザーが、使用要求に対する応答を受領するまでの時間を短縮することができる。
【産業上の利用可能性】
【００８９】
本発明は、表示装置及び画像形成装置に関するものであり、産業上の利用可能性を有する。
【符号の説明】
【００９０】
１        ：画像形成装置
１Ａ      ：画像形成装置
２        ：携帯端末
１０      ：制御部
２０      ：入力部
３０      ：タッチセンサー
４０      ：報知部
４１      ：残回数表示部
４２      ：発光部
５０      ：通信部
７０      ：処理部
１０１    ：計数部
１０２    ：算出部
１１０    ：画像読取部
１４０    ：画像形成部
２００    ：表示部
【図１】
2018037825.tif 000003
【図２】
2018037825.tif 000004
【図３】
2018037825.tif 000005
【図４】
2018037825.tif 000006
【図５】
2018037825.tif 000007
【図６】
2018037825.tif 000008
【図７】
2018037825.tif 000009
【図８】
2018037825.tif 000010
【図９】
2018037825.tif 000011
【図１０】
2018037825.tif 000012
【図１１】
2018037825.tif 000013
【図１２】
2018037825.tif 000014
【図１３】
2018037825.tif 000015